(57)【要約】【課題】使用者が意図しない設定値の変更を規制することができる盤用温度・湿度調節器を提供する。【解決手段】外側から温度や湿度の設定値を変更可能な操作部３が形成された調節部２を備えた盤用温度・湿度調節器の本体部１に、操作部３の移動を阻止する固定板４を形成した。固定板４はその長孔に挿通される固定ねじ８により本体部１に固定されており、固定ねじ８を緩めれば固定板４とともに調節部２を移動させ、設定値を変更可能である。【選択図】図１
2015130775.tif 000002
【特許請求の範囲】
【請求項１】
本体部の外側から設定値を変更可能な操作部が形成された調節部を備えた盤用温度・湿度調節器において、本体部に前記操作部の移動を阻止する固定板を形成したことを特徴とする盤用温度・湿度調節器。
【請求項２】
固定板は、操作部に係合可能な係合部と、固定板を本体部に対して固定する固定部を有し、係合部を中心に固定板の固定位置を変更可能とした構造であることを特徴とする請求項１記載の盤用温度・湿度調節器。
【請求項３】
操作部は凹状に形成した凹状部であり、係合部は操作部の凹部に係合可能な突状部であり、この係合部の裏面には窪み部を形成したことを特徴とする請求項２記載の盤用温度・湿度調節器。
【請求項４】
固定板の固定部は、固定ねじが挿通される長孔状の固定孔を備えたものであることを特徴とする請求項３記載の盤用温度・湿度調節器。
【請求項５】
盤用温度・湿度調節器の本体部と固定板とを、固定ねじにより機器取付板に一体に固定したことを特徴とする請求項１〜４の何れかに記載の盤用温度・湿度調節器。
【発明の詳細な説明】
【技術分野】
【０００１】
本発明は、分電盤、配電盤などの内部の温度や湿度を調節するために用いられる盤用温度・湿度調節器に関するものである。本発明の盤用温度・湿度調節器は、盤内の温度及び湿度の調節器のほか、盤内の温度または湿度の調節器であってもよい。
【背景技術】
【０００２】
分電盤、配電盤などの盤内には、特許文献１、２に示すように、盤用温度・湿度調節器が取付けられている。盤用温度・湿度調節器は、盤内の温度を下げるためのファンや、盤内の温度を上げるためのヒータ等の機器と組み合わせて用いられるものである。
【０００３】
盤用温度・湿度調節器には、外側から操作可能なダイヤル式の調節部が形成され、動作する温度を設定できるようになっている。計測センサが感知した温度・湿度が設定した値に達したときに盤用温度・湿度調節器はファンやヒータ等の機器に制御信号を出力し、これらの機器をオンオフ制御する。
【０００４】
上記のような盤用温度・湿度調節器は、温度や湿度の設定作業を行い易くするため、温度・湿度の調節部はスムーズに動かすことができるように形成されている。このため、盤内に設置された電気機器の振動により調節部が動いてしまい、使用者が意図しないまま設定値が変更されてしまうという問題があった。
【先行技術文献】
【特許文献】
【０００５】
【特許文献１】特開２００７−１６４５５１号公報
【特許文献２】特開２００９−１７６９２１号公報
【発明の概要】
【発明が解決しようとする課題】
【０００６】
従って本発明の目的は上記した従来の問題点を解決し、使用者が意図しない設定値の変更を規制することができる盤用温度・湿度調節器を提供することである。
【課題を解決するための手段】
【０００７】
上記の課題を解決するためになされた本発明は、本体の外側から設定値を変更可能な操作部が形成された調節部を備えた盤用温度・湿度調節器において、本体部に前記操作部の移動を阻止する固定板を形成したことを特徴とするものである。
【０００８】
なお、請求項２のように、固定板は、操作部に係合可能な係合部と、固定板を本体部に対して固定する固定部を有し、係合部を中心に固定板の固定位置を変更可能とした構造であることが好ましい。
【０００９】
また、請求項３のように、操作部は凹状に形成した凹状部であり、係合部は操作部の凹部に係合可能な突状部であり、この係合部の裏面には窪み部を形成した構造であることが好ましい。
【００１０】
また、請求項４のように、固定板の固定部は、固定ねじが挿通される長孔状の固定孔を備えた構造であることが好ましい。
【００１１】
さらに、請求項５のように、盤用温度・湿度調節器の本体部と固定板とを、固定ねじにより機器取付板に一体に固定した構造とすることができる。
【発明の効果】
【００１２】
本発明の盤用温度・湿度調節器は、本体部に前記操作部の移動を阻止する固定板を形成したものであるので、振動によって操作部が移動することがなくなり、設定温度・湿度が意図せずに変更されることを防止することができる。また、既設された盤内の盤用温度・湿度調節器に対しても後付けで固定板を取り付けることが可能である。
【００１３】
請求項２の盤用温度・湿度調節器は、係合部を中心に固定板の固定位置を変更可能としたので、操作部を複数の設定温度・湿度の位置で固定することができる。
【００１４】
請求項３の盤用温度・湿度調節器は、固定板に形成された窪み部にドライバ等の工具を挿入し、操作部を操作することができる。工具による操作が可能であるから、細やかな調整が可能であるうえ、安全に作業可能である。
【００１５】
請求項４の盤用温度・湿度調節器は、固定孔を長孔状としたので、固定位置を容易に変更可能としつつ、設定温度・湿度の変更可能範囲を規制することができる。
【００１６】
請求項５の盤用温度・湿度調節器は、本体部と固定板とを固定ねじにより機器取付板に一体に固定した構造としたので、部品点数が少なくて済み、取付け作業も煩雑化しない。特に請求項４のように固定孔を長孔にした場合には、固定ねじを少し緩めるだけで固定板を動かすことができるので、盤用温度・湿度調節器を機器取付板から取り外すことなく、設定温度・湿度の変更が可能である。
【図面の簡単な説明】
【００１７】
【図１】第１の実施形態を示す斜視図である。
【図２】第１の実施形態を示す正面図である。
【図３】第１の実施形態を示す分解斜視図である。
【図４】固定板の斜視図である。
【図５】固定板の背面斜視図である。
【図６】固定板の回動範囲の説明図である。
【図７】固定板の回動範囲の説明図である。
【図８】第２の実施形態を示す正面図である。
【図９】第３の実施形態を示す正面図である。
【発明を実施するための形態】
【００１８】
以下に本発明の実施形態を説明する。
図１及び図２において、１は盤用温度・湿度調節器の本体部であり、盤内の温度及び湿度の計測手段である計測用センサ（図示せず）が内蔵または外付けされている。本体部１の内部には、計測用センサによって計測された盤内の温度及び湿度を設定値と比較し、ファンやヒータ等の接続機器に制御信号をオンオフ出力する制御回路が内蔵されている。また、盤用温度・湿度調節器は、本体部１の内部に制御回路の代わりに接点を形成する構造のものもあり、その場合、盤内の温度及び湿度が設定値以上の場合に接点を開閉し、ファンやヒータ等の接続機器に電源の供給制御を行うものである。
【００１９】
本体部１の外郭には、温度または湿度を設定するためのダイヤル式の調節部２が形成されている。この調節部２は図示のように数字が刻まれた円板であり、その中心部に凹溝状の操作部３（図３）が形成されており、マイナスドライバ等の工具の先端を挿入して操作部３を回動操作し、設定温度や設定湿度を変更できる構造となっている。なお、盤用温度・湿度調節器は、温度又は湿度の何れか一方の調節部が形成された温度調節器または湿度調節器、温度及び湿度それぞれを調節する調節部が形成された温度湿度調節器に使用するものであっても良い。
【００２０】
この操作部３が振動等によって移動してしまうことを防止するために、本発明では本体部１に操作部３の移動を阻止する固定板４を取付けてある。本実施形態の固定板４は扇形状の平板であり、図５に示すように、その一面（図１における裏面）には、扇の中心となる位置に操作部３に係合可能な凸状の係合部５が突設されている。またこの係合部５の裏面（図１における表面）は、図４に示すように窪み部６となっており、マイナスドライバ等の工具の先端が挿入可能となっている。
【００２１】
固定板４の左右両側には、固定板４を本体部１に対して固定するための固定部７が形成されている。本実施形態では固定部７は扇形の周方向に延びる２つの長孔であり、図１〜図３に示すように、これらの長孔に２本の固定ねじ８を挿通し、固定板４と本体部１とを機器取付板９に一体に固定している。このように本体部１を機器取付板９に固定するための固定ねじ８を利用して固定板４を固定する構造としたので、部品点数が少なくなり、取付け作業も煩雑にならない。また、固定ねじ８を少し緩めれば固定板４を長孔に沿って回動させることができる。
【００２２】
なお、固定ねじ８を締め付けると固定板４が変形するおそれがあるため、図１、図３に示すようにサポータ１０を固定板４と本体部１の取付け孔１１との間に介在させることが好ましい。
【００２３】
このように構成された盤用温度・湿度調節器の本体部１は、その調節部２の前面が固定板４により覆われており、また調節部２の操作部３が固定板４の係合部５と係合しているため、固定板４を固定ねじ８により固定した状態においては、振動等によって調節部２の操作部３が移動してしまうことがない。
【００２４】
また、固定ねじ８を少し緩めたうえで固定板４の窪み部６に工具の先端を挿入して固定板４を回動させれば、調節部２の操作部３も同時に回動するため、固定板４を取外すことなく、設定値を変更することが可能である。本実施形態では、回動板４を回動可能な範囲は長孔の範囲内に限定されるので、温度や湿度の調整範囲を規制することが可能となる。図６と図７はその様子を示す図であり、３０℃と４０℃の間でのみ設定温度を変更可能とした例である。
【００２５】
上記した実施形態では、操作部３を凹状部とし固定板４の係合部５を凸状部としたが、操作部３を凸状とし係合部５を凹状とすることもできる。また、上記した実施形態では、回動板４に窪み部６を形成して工具による操作を可能としたが、窪み部６をなくして固定板４を人手によって直接回動させるようにしてもよい。
【００２６】
また、上記した実施形態では、固定ねじ８により固定板４と本体部１とを機器取付板９に一体に固定したが、本体部１のみを固定ねじ８により機器取付板９に固定し、固定板４をプッシュラッチ等の別の固定手段によって本体部１に固定してもよい。
【００２７】
図８は第２の実施形態を示す正面図である。この実施形態では固定部７を丸孔とし、本体部１に複数の固定孔１２を形成した。この場合には固定ねじ８を差し替えることにより、固定板４を一定角度だけ回動させて固定することができる。
【００２８】
図９は第３の実施形態を示す正面図である。この実施形態では固定部７を周方向に延びる連続した長孔とした。この場合には固定板４の回動可能範囲を大きく取ることができ、しかも実施形態１と同様、無段階に設定値を変更可能である。
【００２９】
以上に説明したように、本発明の盤用温度・湿度調節器は、操作部３を固定する固定板４を設けたことにより、使用者が意図しない設定値の変更を規制することができ、既設された盤内の盤用温度・湿度調節器に対しても後付けで固定板４を取り付けることが可能である。また、固定ねじ８を緩めて固定板４を回動させれば、固定板４を取外すことなく、設定値の変更が可能である。
【符号の説明】
【００３０】
１  本体部
２  調節部
３  操作部
４  固定板
５  係合部
６  窪み部
７  固定部
８  固定ねじ
９  機器取付板
１０  サポータ
１１  取付け孔
１２  固定孔
【図１】
2015130775.tif 000003
【図２】
2015130775.tif 000004
【図３】
2015130775.tif 000005
【図４】
2015130775.tif 000006
【図５】
2015130775.tif 000007
【図６】
2015130775.tif 000008
【図７】
2015130775.tif 000009
【図８】
2015130775.tif 000010
【図９】
2015130775.tif 000011